(57)【要約】【課題】製造コストの増大を抑制しつつ、簡便性の高いパウチ袋を提供する。【解決手段】可撓性のパウチ袋１は、容器本体１１と容器本体の上端縁１１ＥＵから突出している切り口片１３とを有し、切り口片を容器本体から切り取ることによってパウチ内容物を注出するための注出口が形成される。切り口片には、パウチ袋の幅方向Ｗの端部において、容器本体から離間していると共に、パウチ袋の幅方向に対して傾斜する方向に延びる下端縁１５ＥＬを形成しているツマミ部１５が設けられている。容器本体の上端縁とツマミ部の下端縁とによって、切り口片を容器本体から切り取るための切り口１７が形成されている。容器本体の上端縁は、ツマミ部の下端縁との交差部分Ｃから、パウチ袋の外側に向かってパウチ袋の幅方向と平行に延びている。【選択図】図１
2017013836.tif 000002
【特許請求の範囲】
【請求項１】
容器本体と前記容器本体の上端縁から突出している切り口片とを有し、前記切り口片を前記容器本体から切り取ることによってパウチ内容物を注出するための注出口が形成される可撓性のパウチ袋であって、
前記切り口片には、前記パウチ袋の幅方向の端部において、前記容器本体から離間していると共に、前記パウチ袋の幅方向に対して傾斜する方向に延びる下端縁を形成しているツマミ部が設けられており、
前記容器本体の前記上端縁と前記ツマミ部の前記下端縁とによって、前記切り口片を前記容器本体から切り取るための切り口が形成されており、
前記容器本体の前記上端縁は、前記ツマミ部の前記下端縁との交差部分から、前記パウチ袋の外側に向かって前記パウチ袋の幅方向と平行に延びている、
パウチ袋。
【請求項２】
前記容器本体の上端縁は、前記ツマミ部の前記下端縁との前記交差部分から前記容器本体の側縁部まで、前記パウチ袋の幅方向に沿って延びている、
請求項１に記載のパウチ袋。
【請求項３】
前記パウチ袋の幅が３０〜５０ｍｍの範囲である、
請求項１又は２に記載のパウチ袋。
【請求項４】
前記パウチ袋には、前記パウチ内容物を搾り出すときのために、前記パウチ袋の縦方向に沿って折り畳むための折り畳み誘導部が設けられている、
請求項１又は２に記載のパウチ袋。
【請求項５】
前記折り畳み誘導部は、前記切り口片が切り取られた後に形成される前記注出口から前記パウチ袋の縦方向に延ばした延長線上であって、前記容器本体の下端部に設けられた窪み部を含む、
請求項４に記載のパウチ袋。
【請求項６】
前記パウチ袋には、前記パウチ内容物を搾り出すときのために、前記パウチ袋の縦方向に沿って折り畳むための折り畳み誘導部が設けられており、
前記折り畳み誘導部にしたがって畳まれた後の前記パウチ袋の幅が３０〜５０ｍｍの範囲である、
請求項１又は２に記載のパウチ袋。
【請求項７】
前記容器本体の前記上端縁と前記ツマミ部の前記下端縁との前記交差部分に、前記パウチ袋の幅方向に延びる切り込みが設けられている、
請求項１〜６のいずれか１項に記載のパウチ袋。
【請求項８】
前記注出口は前記パウチ袋の幅方向中央に形成される、
請求項１〜７のいずれか１項に記載のパウチ袋。
【請求項９】
前記パウチ内容物は、粘度が０．０２Ｐａ・ｓ〜５．０Ｐａ・ｓの液体である、
請求項１〜８のいずれか１項に記載のパウチ袋。
【請求項１０】
可撓性シートを熱シールすることによって形成される、
請求項１〜９のいずれか１項に記載のパウチ袋。
【発明の詳細な説明】
【技術分野】
【０００１】
本発明は、切り口片を切り取ることによって開封する可撓性のパウチ袋に関する。
【背景技術】
【０００２】
近年では、単身者や共働き世帯、高齢者世代などが増加する傾向にある。このため、食品業界においては、このような需要者をターゲットとした、少人数用の、特に個食用の鍋つゆや麺つゆ、出汁などが発売されている。上述のような需要者は、こうした液体調味料等に関しても品質を重視する傾向があり、香りや風味を損なわないように、粉末化や固形化したものではなく液体状やペースト状で提供することが要求されている。そのため、こうした液体調味料等の商品の一部は、小型のパウチ袋に充填された状態で流通している。
【先行技術文献】
【特許文献】
【０００３】
【特許文献１】意匠登録第１３６３１８２号公報
【特許文献２】特開２００１−３１１１２号公報
【特許文献３】特開２００１−３９４５３号公報
【発明の概要】
【発明が解決しようとする課題】
【０００４】
上述のような需要者は、調理を短時間かつ容易にするために、高い簡便性を要求する傾向にある。しかしながら、従来のパウチ袋では、特に小型であると持ちづらくなり、開封時にパウチ袋を直線状に切断できない場合があった。そのため、注出口の大きさを十分に確保できない場合や、パウチ袋の中央側に向かってパウチ袋を開封してしまってパウチ袋の内容物をこぼしてしまい、さらには手先を汚してしまう場合があり、取り扱いが煩雑であった。
【０００５】
こうした課題の解決のために、容器本体の上部に切り口片が設けられた、「Ｔパウチ」（Ｔ−ＰＡＵＣＨ（登録商標））と呼ばれるパウチ袋や、特許文献１に開示されている包装用袋などが公知である。これらの袋は、一般的な略矩形形状のパウチ袋と比較すると、簡便に取り扱うことができる。しかしながら、これらの袋では、容器本体と切り口片との間に形成される切り口を形成する端縁が、いずれも切断方向と平行に延びておらず、広角に拡がっており、切り口片を直線状に切断できない場合があった。
【０００６】
さらに、内容物をパウチ袋から注出するときに、特に内容物が粘度の高い液体（ペースト状、ゲル状）である場合には、十分にパウチ袋から注出することができずに、パウチ袋内部に内容物が残ってしまう場合がある。このようなパウチ袋内部に残った内容物を最後まで注出するために、パウチ袋を折り畳んだ後にしごいて搾り出すことがあるが、一般的にこのようなパウチ袋の操作は煩雑であり、簡便性を損ねてしまう場合があった。
【０００７】
こうした課題の解決のために、特許文献２及び３では、幅方向中央に底部から縦方向上方に向かって延びるヒートシール部が設けられ、使用時に当該ヒートシール部に沿って折り畳み易くすることにより内容物を搾り出し易くしたパウチ袋が開示されている。しかしながら、このような折り畳みを容易にするためのヒートシール部を設けるには、特殊なヒートシール装置を必要とするので、製造コストが著しく増大するという課題があった。
【０００８】
したがって本発明の目的は、上述の課題に鑑みて、製造コストの増大を抑制しつつ、簡便性の高いパウチ袋を提供することにある。
【課題を解決するための手段】
【０００９】
請求項１の発明によれば、容器本体と前記容器本体の上端縁から突出している切り口片とを有し、前記切り口片を前記容器本体から切り取ることによってパウチ内容物を注出するための注出口が形成される可撓性のパウチ袋であって、前記切り口片には、前記パウチ袋の幅方向の端部において、前記容器本体から離間していると共に、前記パウチ袋の幅方向に対して傾斜する方向に延びる下端縁を形成しているツマミ部が設けられており、前記容器本体の前記上端縁と前記ツマミ部の前記下端縁とによって、前記切り口片を前記容器本体から切り取るための切り口が形成されており、前記容器本体の前記上端縁は、前記ツマミ部の前記下端縁との交差部分から、前記パウチ袋の外側に向かって前記パウチ袋の幅方向と平行に延びている、パウチ袋が提供される。
【００１０】
すなわち、請求項１の発明に係るパウチ袋では、容器本体の上端縁がツマミ部の下端縁との交差部分から、パウチ袋の外側に向かってパウチ袋の幅方向と平行に延びている。これにより、切り口を形成する容器本体の上端縁とツマミ部の下端縁とによって成す角度が、上述の「Ｔパウチ」や特許文献１に記載の袋と比較すると小さくなる。その結果、パウチ袋の開封時に、パウチ袋を切断する方向が限定されるので、パウチ袋の幅方向に沿って直線状にパウチ袋を切断し易くなり、ひいては簡便性の高いパウチ袋を提供することができる。
【００１１】
請求項２の発明によれば、前記容器本体の上端縁は、前記ツマミ部の前記下端縁と前記交差部分から前記容器本体の側縁部まで、前記パウチ袋の幅方向に沿って延びている、請求項１に記載のパウチ袋が提供される。
【００１２】
すなわち、請求項２の発明に係るパウチ袋では、容器本体の上端縁とツマミ部の下端縁との交差部分から容器本体の側縁部まで、パウチ袋の幅方向に沿って延びていることにより、開封時に容器本体の側縁部の上方部分（角部）を把持することができる。これにより、切り口片を容器本体から切り取るときに、パウチ袋の幅方向に向かって正確に力をかけることができ、ひいては簡便性の高いパウチ袋を提供することができる。
【００１３】
請求項３の発明によれば、前記パウチ袋の幅が３０〜５０ｍｍの範囲である、請求項１又は２に記載のパウチ袋が提供される。
【００１４】
すなわち、請求項３の発明に係るパウチ袋では、パウチ袋の幅が５０ｍｍ以下であることによって、成人の親指と人差し指とによって容器本体をしごいてパウチ内容物を搾り出す際に、一回の動作でパウチ内容物のほぼ全量をスムーズに注出することができる。これにより、簡便性の高いパウチ袋を提供することができる。さらに、パウチ袋の幅が３０ｍｍ以上であることによって、一般的な長さを有するパウチ袋において十分な内容量を確保することができる。
【００１５】
請求項４の発明によれば、前記パウチ袋には、前記パウチ内容物を搾り出すときのために、前記パウチ袋の縦方向に沿って折り畳むための折り畳み誘導部が設けられている、請求項１又は２に記載のパウチ袋が提供される。
【００１６】
すなわち、請求項４の発明に係るパウチ袋によれば、折り畳み誘導部が設けられているため、パウチ内容物を搾り出すときにパウチ袋をパウチ袋の縦方向に沿って容易に折り畳むことができる。その結果、幅広のパウチ袋であってもパウチ内容物を容易に搾り出すことができ、ひいては簡便性の高いパウチ袋を提供することができる。
【００１７】
請求項５の発明によれば、前記折り畳み誘導部は、前記切り口片が切り取られた後に形成される前記注出口から前記パウチ袋の縦方向に延ばした延長線上であって、前記容器本体の下端部に設けられた窪み部を含む、請求項４に記載のパウチ袋が提供される。
【００１８】
すなわち、請求項５の発明に係るパウチ袋によれば、注出口と窪み部とがパウチ袋の縦方向に延ばした延長線上に設けられていることによって、当該延長線に沿ってパウチ袋を容易に折り畳むことができる。つまり、請求項５の発明に係るパウチ袋では、特許文献２及び３に開示のパウチ袋のように縦方向に向かって延びる追加のヒートシール部を設けることなしに、容易にパウチ袋を縦方向に沿って折り畳んでパウチ内容物を搾り出すことができる。その結果、製造コストの増大を抑制しつつ、簡便性の高いパウチ袋を提供することができる。
【００１９】
請求項６の発明によれば、前記パウチ袋には、前記パウチ内容物を搾り出すときのために、前記パウチ袋の縦方向に沿って折り畳むための折り畳み誘導部が設けられており、前記折り畳み誘導部にしたがって畳まれた後の前記パウチ袋の幅が３０〜５０ｍｍの範囲である、請求項１又は２に記載のパウチ袋が提供される。
【００２０】
すなわち、請求項６の発明に係るパウチ袋では、折り畳んだ後のパウチ袋の幅が５０ｍｍ以下であることによって、成人の親指と人差し指とによって容器本体をしごいてパウチ内容物を搾り出す際に、一回の動作でパウチ内容物のほぼ全量をスムーズに注出することができる。さらに、パウチ袋の幅が３０ｍｍ以上であることによって、一般的な長さを有するパウチ袋において十分な内容量を確保することができる。
【００２１】
請求項７の発明によれば、前記容器本体の前記上端縁と前記ツマミ部の前記下端縁との前記交差部分に、前記前記パウチ袋の幅方向に延びる切り込みが設けられている、請求項１〜６のいずれか１項に記載のパウチ袋が提供される。
【００２２】
すなわち、請求項７の発明に係るパウチ袋では、パウチ袋の幅方向に延びる切り込みが切り口に設けられていることにより、パウチ袋の幅方向に沿って直線状にパウチ袋をより容易に切断し易くなり、ひいては簡便性の高いパウチ袋を提供することができる。
【００２３】
請求項８の発明によれば、前記注出口は前記パウチ袋の幅方向中央に形成される、請求項１〜７のいずれか１項に記載のパウチ袋が提供される。
【００２４】
請求項９の発明によれば、前記パウチ内容物は、粘度が０．０２Ｐａ・ｓ〜５．０Ｐａ・ｓの液体である、請求項１〜８のいずれか１項に記載のパウチ袋が提供される。
【００２５】
請求項１０の発明によれば、可撓性シートを熱シールすることによって形成される、請求項１〜９のいずれか１項に記載のパウチ袋が提供される。
【発明の効果】
【００２６】
上述のように、本発明によれば、パウチ袋の幅方向に沿って直線状にパウチ袋を切断し易くなることにより、簡便性の高いパウチ袋を提供することができる。また、パウチ内容物の搾り出しの際に利用される折り畳み誘導部を容易に設けることがでるので、簡便性の高いパウチ袋をコストの増大を抑制しつつ提供することができる。
【図面の簡単な説明】
【００２７】
【図１】本発明の第一の実施形態に係るパウチ袋の平面図。
【図２】本発明の第二の実施形態に係るパウチ袋の平面図。
【図３】本発明の第三の実施形態に係るパウチ袋の平面図。
【図４】開封後かつ折り畳まれた後の図３に示すパウチ袋の平面図。
【発明を実施するための形態】
【００２８】
（第一の実施形態）
これより、上述の図１を参照しつつ、本発明の第一の実施形態に係るパウチ袋について説明する。第一の実施形態に係るパウチ袋１は濃縮タイプの鍋つゆを充填するものである。
【００２９】
第一の実施形態に係るパウチ袋１は、パウチ袋１の２つの側面を形成する一対の側面シート３を、これらの周囲部分において熱シールにより接合することによって形成されている。側面シート３は、第一の実施形態ではアルミ蒸着ポリエチレンテレフタレート（外層）／直鎖状低密度ポリエチレン（内層）から形成された可撓性のシートである。なお、図１では、側面シート３はそれぞれ略同一形状であって、２枚重ねられているので、裏面を形成する側面シート３は図１には現れていない。また、図１では、側面シート３同士の接合部分を斜線で表している。
【００３０】
パウチ袋１は、容器本体１１と、容器本体１１の上端縁１１ＥＵの、第一の実施形態ではパウチ袋１の幅方向Ｗの中央部分から突出している切り口片１３とを有する。
【００３１】
切り口片１３には、パウチ袋１の幅方向Ｗの両端部において、容器本体１１から離間しているツマミ部１５が設けられている。そして、ツマミ部１５は、パウチ袋１の幅方向Ｗに対して傾斜する方向に延びる下端縁１５ＥＬを含む。
【００３２】
パウチ袋１には、容器本体１１の上端縁１１ＥＵとツマミ部１５の下端縁１５ＥＬとによって、切り口片１３を容器本体１１から切り取るための切り口１７が形成されている。
【００３３】
容器本体１１では、周囲において注出口を形成する部分を除いて、上述のように側面シート３同士が接合されることによって、内容物を充填するための内部空間Ｓが形成されている。図１に示すように、当該内部空間Ｓは、容器本体１１の上端縁１１ＥＵを越えて切り口片１３にも及んでいる。それにより、切り口片１３を容器本体１１から切り取ると、側面シート３同士が接合されていない容器本体１１の上端縁１１ＥＵの部分に、内容物を注出するための注出口（図示しない）が形成される。
【００３４】
第一の実施形態に係るパウチ袋１では、容器本体１１の上端縁１１ＥＵは、ツマミ部１５の下端縁１５ＥＬとの交差部分Ｃから、パウチ袋１の外側に、つまりパウチ袋１の幅方向Ｗの中心線ＣＬから離れる方向に向かってパウチ袋１の幅方向Ｗと平行に延びている。これにより、上述の「Ｔパウチ」や特許文献１に記載の袋と比較すると、切り口１７を形成する容器本体１１の上端縁１１ＥＵとツマミ部１５の下端縁１５ＥＬとによって成す角度θがより小さくなる。その結果、パウチ袋の開封時に、切り口片１３を切り取る方向が限定されるので、パウチ袋１の幅方向Ｗに沿って直線状に切り口片１３を切り取り易くなり、ひいてはより簡便性が高いパウチ袋１を提供することができる。こうした作用効果の観点から、容器本体１１の上端縁１１ＥＵとツマミ部１５の下端縁１５ＥＬとによって成す角度θは、例えば６０°以下であると好ましく、４５°以下であるとより好ましく、３０°以下であるとさらに好ましい。
【００３５】
そして、第一の実施形態に係るパウチ袋１には、容器本体１１の上端縁１１ＥＵとツマミ部１５の下端縁１５ＥＬとの交差部分Ｃに、パウチ袋１の幅方向Ｗに延びる切り込み１９が設けられている。これにより、切り口片１３を容器本体１１から切り取り始めるときに、切り口片１３の幅方向Ｗへの切り取りを誘導することができる。
【００３６】
なお、上記交差部分Ｃからパウチ袋１の外側に向かってパウチ袋１の幅方向Ｗと平行に延びる容器本体１１の上端縁１１ＥＵは、第一の実施形態では、パウチ袋１の幅方向Ｗの両側において、容器本体１１の側縁部１１Ｓに達する前に下方に折れ曲がっている。
【００３７】
上述のように、第一の実施形態に係るパウチ袋１には濃縮タイプの鍋つゆが充填されているが、本発明はこれに限定されるものではない。パウチ袋１には、液体、ゲル状態、ペースト状態などの流動体であって、注出安定性や搾り出し容易性の観点から、例えば粘度が０．０２Ｐａ・ｓ〜５．０Ｐａ・ｓ（２０ｃｐ〜５０００ｃｐ）の液体を充填することが好ましい。
【００３８】
第一の実施形態に係るパウチ袋１では、パウチ袋の幅ｄ１が３０ｍｍ〜５０ｍｍの範囲であると好ましい。パウチ袋１の幅ｄ１が５０ｍｍ以下であることによって、成人の親指と人差し指とによって容器本体１１をしごいてパウチ内容物を搾り出す際に、一回の動作でパウチ内容物のほぼ全量をスムーズに注出することができる。これにより、簡便性の高いパウチ袋１を提供することができる。さらに、パウチ袋の幅ｄ１が３０ｍｍ以上であることによって、一般的な縦方向Ｌの長さを有するパウチ袋１において十分な内容量を確保することができる。
【００３９】
第一の実施形態に係るパウチ袋１では、切り口片１３の縦方向Ｌの長さｄ２が１０〜２０ｍｍの範囲であると好ましい。また、ツマミ部１５の幅方向Ｗの長さｄ３が８〜１６ｍｍの範囲であると好ましい。これらの範囲内であれば、ツマミ部１５が大きすぎず、また小さすぎず、指先でツマミ部１５を容易につまんでパウチ袋１を容易に開封することができる。
【００４０】
また、第一の実施形態に係るパウチ袋１では、注出口の幅ｄ４が８〜１６ｍｍの範囲であると好ましい。注出口の幅ｄ４が８ｍｍよりも大きいと、高粘度（例えば５．０Ｐａ・ｓ）の液体をパウチ袋１から搾り出すときに、大きな力を要しないで容易に搾り出すことができ、ひいては内容物の飛散も抑制することができる。また、注出口の幅ｄ４が１６ｍｍよりも小さいと、低粘度（例えば０．０２Ｐａ・ｓ）の液体が充填されているパウチ袋１を開封するときに、内容物が揺れることによって予期せず液体が注出口からこぼれ出て手指を汚すことが抑制される。
【００４１】
また、第一の実施形態に係るパウチ袋１では、上述のように切り込み１９が設けられているが、切り込み１９の長さｄ５が、０．２ｍｍ〜１．０ｍｍの範囲であると好ましい。切り込み１９の長さｄ５が０．２ｍｍ以上であることによって、切り口片１３の切り取りをパウチ袋１の幅方向Ｗに誘導することができる。そして、切り込み１９の長さｄ５が、１．０ｍｍ以下であることによって、ツマミ部１５が何かに不意に引っ掛かってしまったときに、誤ってパウチ袋１が開封されてしまうことが抑制される。また、切り口１７のみで切り口片１３を正確に幅方向Ｗに切り取ることができるのであれば、切り込み１９は設けられていなくてもよい。
【００４２】
第一の実施形態に係るパウチ袋１は、幅方向Ｗのほぼ中央に注出口を有するが、本発明では、注出口はどの位置にあってもよく、例えば側縁部１１Ｓの上端縁１１ＥＵに形成されていてもよい。また、ツマミ部１５は、第一の実施形態では切り口片１３の幅方向Ｗの両側の端部に設けられていたが、切り口片１３の幅方向Ｗの端部の一方のみに設けられていてもよい。
【００４３】
（第二の実施形態）
これより、本発明の第二の実施形態に係るパウチ袋１について、図２を参照しつつ説明する。なお、第二の実施形態については、第一の実施形態との差異点を主に説明する。
【００４４】
第二の実施形態に係るパウチ袋１では、容器本体１１の上端縁１１ＥＵは、ツマミ部１５の下端縁１５ＥＬとの交差部分Ｃから容器本体１１の側縁部１１Ｓまで、パウチ袋１の幅方向Ｗに沿って延びている。これにより、第二の実施形態に係るパウチ袋１には、容器本体１１の側縁部１１Ｓの上部に、切り口１７のほぼ真横に位置する角部１１Ｃが形成されている。
【００４５】
第二の実施形態に係るパウチ袋１の利用者は、開封の際にこの角部１１Ｃを一方の手で把持しつつ、他方の手でツマミ部１５を把持して切り口片１３を切り取ることができる。それにより、パウチ袋１の把持する箇所同士の縦方向Ｌの間隔を小さくすることができるため、パウチ袋１の幅方向Ｗに向かってより正確に力をかけることができる。その結果、パウチ袋１の幅方向Ｗに沿って直線状に切り口片１３を容器本体１１から切り取ることができ、ひいては簡便性の高いパウチ袋１を提供することができる。
【００４６】
なおここで、「容器本体の上端縁が容器本体の側縁部まで延びている」とは、当該上端縁１１ＥＵが容器本体１１の側端縁１１ＥＳに達するまで延びている必要はなく、容器本体１１の側端縁１１ＥＳの近傍まで延びていればよい。例えば、図２に示す角部１１Ｃのように、角が尖って利用者が怪我をしないようにＲ面取りなどの面取りがされていてもよい。
【００４７】
（第三の実施形態）
これより、本発明の第二の実施形態に係るパウチ袋１について、図３及び図４を参照しつつ説明する。なお、第三の実施形態については、第一及び第二の実施形態との差異点を主に説明する。
【００４８】
第三の実施形態に係るパウチ袋１は、第一及び第二の実施形態と比較して大きい内容量を確保するために幅広になっている。このため、第三の実施形態に係るパウチ袋１は、開封して内容物を搾り出すときに、パウチ袋１の幅方向寸法を手指によってしごき易い寸法にするために、縦方向Ｌに沿って折り畳めるようにされている。
【００４９】
第三の実施形態に係るパウチ袋１には、パウチ内容物を搾り出すときのために、パウチ袋１の縦方向Ｌに沿って折り畳むための折り畳み誘導部が設けられている。折り畳み誘導部は具体的には、切り口片１３が切り取られた後に形成される注出口２３からパウチ袋１の縦方向Ｌに延ばした延長線上であって、容器本体１１の下端部１１Ｌに設けられた窪み部２１である。第三の実施形態に係るパウチ袋１では、窪み部２１が形成されていることによって、開封後ある程度内容物を注出した後に、最後まで内容物を搾り出すためにパウチ袋１を縦方向Ｌに沿って折り畳みやすい。さらに、上述の窪み部２１と注出口２３との位置関係によって、パウチ袋１を窪み部２１の位置で縦方向Ｌに沿って折りたたむと、熱シールされていない注出口２３の位置で折り畳むことになるので、パウチ袋１を折り曲げ易い。また、特許文献２及び３に開示のパウチ袋のように縦方向に向かって延びる追加のヒートシール部を設ける必要がなく、窪み部２１を設けるようにパウチ袋１の下端部１１Ｌを成形するだけでよいので、製造コストの増大を抑制することができる。なお、第三の実施形態では、窪み部２１はパウチ袋１の幅方向Ｗの中心線ＣＬ上に位置する。
【００５０】
第三の実施形態に係るパウチ袋１では、折り畳み誘導部を利用して折り畳まれた後のパウチ袋１の幅ｄ１’が、３０〜５０ｍｍの範囲であると好ましい。パウチ袋１の幅ｄ１’が５０ｍｍ以下であることによって、成人の親指と人差し指とによって容器本体１１をしごいてパウチ内容物を搾り出す際に、一回の動作でパウチ内容物のほぼ全量をスムーズに注出することができる。さらに、パウチ袋の幅ｄ１’が３０ｍｍ以上であることによって、一般的な長さを有するパウチ袋１において十分な内容量を確保することができる。
【００５１】
また、第三の実施形態に係るパウチ袋１では、折り畳み誘導部を利用して折り畳まれた後のパウチ袋１の注出口２３の幅ｄ４’が８〜１６ｍｍの範囲であると好ましい。注出口の幅ｄ４’が８ｍｍよりも大きいと、高粘度（例えば５．０Ｐａ・ｓ）の液体をパウチ袋１から搾り出すときに、大きな力を要しないで容易に搾り出すことができ、ひいては内容物の飛散も抑制することができる。また、注出口の幅ｄ４’が１６ｍｍよりも小さいと、低粘度（例えば０．０２Ｐａ・ｓ）の液体が充填されているパウチ袋１を開封するときに、内容物が揺れることによって予期せずに注出口から液体が飛散して手指を汚すことが抑制される。
【００５２】
第三の実施形態に係るパウチ袋１では、折り畳み誘導部は窪み部２１であったが、本発明では、折り畳み誘導部はこれに限定されるものではない。例えば、折り畳み誘導部は、側面シート３の剛性を部分的に変化させて折れ曲がり易いように形成した折り目線であってもよい。また、折り畳み誘導部は、折り線を視覚的に示すための容器本体１１に印刷された点線や矢印、文字などの表示をさらに含んでいてもよい。
【００５３】
上述の実施形態に係るパウチ袋１では、一対の側面シート３の接合は熱シールによって行われたが、超音波シールや他の公知の接合方法によって行ってもよい。
【００５４】
また、上述の実施形態では、側面シート３はアルミ蒸着ポリエチレンテレフタレート（外層）／直鎖状低密度ポリエチレン（内層）から形成されているが、本発明はこれに限定されるものではない。例えば、ポリエチレンテレフタレート（外層）／延伸ナイロン（中層）／ポリエチレン（内層）や延伸ナイロン（外層）／ポリエチレンテレフタレート（中層）／ポリエチレン（内層）、ポリエチレンテレフタレート（外層）／アルミニウム箔（中層）／ポリエチレン（外層）、ポリエチレンテレフタレート（外層）／ポリエチレンテレフタレート（中層）／無延伸ポリプロピレン（内層）等を側面シート３の素材として使用することができる。
【００５５】
さらに、上述の実施形態では、パウチ袋１の内容物は濃縮タイプの鍋つゆであったが、注出安定性や搾り出し容易性の観点から、０．０２Ｐａ・ｓ〜５．０Ｐａ・ｓ（２０ｃｐ〜５０００ｃｐ）の液体である、食品用の液体調味料が好適である。しかしながら、本発明はこれに限定されるものではない。例えば、内容物は、前記粘度範囲外の液体調味料、鍋つゆ、麺つゆや、その他清涼飲料水、ゼリー等の流動性を有する食品であってもよい。さらに、これまでは食品業界の課題を解決するパウチ袋について説明してきたが、内容物は例えば、インク、墨汁、ローション、乳液、化粧水等の食品ではない流動体であってもよい。これは、これらの食品ではない流動体が充填されたパウチ袋に関しても、高い簡便性及び製造コスト増大の抑制などが同様に求められているからである。
【符号の説明】
【００５６】
１    パウチ袋
１１    容器本体
１１ＥＵ    （容器本体の）上端縁
１１Ｓ    （容器本体の）側縁部
１３    切り口片
１５    ツマミ部
１５ＥＬ    （ツマミ部の）下端縁
１７    切り口
１９    切り込み
２１    窪み部（折り畳み誘導部）
Ｃ    （容器本体の上端縁とツマミ部の下端縁との）交差部分
Ｌ    縦方向
Ｗ    幅方向
【図１】
2017013836.tif 000003
【図２】
2017013836.tif 000004
【図３】
2017013836.tif 000005
【図４】
2017013836.tif 000006